(57)【特許請求の範囲】
【請求項１】
マルチペイメントカードと端末装置とから少なくとも構成されるマルチペイメントカード発行システムであって，
前記端末装置は，
前記マルチペイメントカードとの通信に用いる端末用通信ユニットと，
磁気ストライプを備えたペイメントカードの撮影に用いられるカメラユニットと，
前記ペイメントカードを登録する操作がなされると，前記カメラユニットを作動させ，前記カメラユニットが撮影した前記ペイメントカードの券面画像を取得する処理と，前記ペイメントカードの券面画像を画像解析して，前記ペイメントカードの券面に印刷加工されているカードデータを特定する処理と，前記カードデータを利用して，前記ペイメントカードの磁気ストライプにエンコードされている磁気エンコードデータを生成する処理と，前記端末用通信ユニットを利用して，前記磁気エンコードデータを前記マルチペイメントカードに送信する処理を行うカード管理手段と，
を備え，
前記マルチペイメントカードは，
前記端末装置との通信に用いるカード用通信ユニットと，
前記端末装置から受信した前記磁気エンコードデータを記憶させるメモリユニットと，
前記カード用通信ユニットが前記端末装置から受信した前記磁気エンコードデータを前記メモリユニットに記憶させる手段と，
を備え，
ていることを特徴とするマルチペイメントカード発行システム。
【請求項２】
請求項１に記載したマルチペイメントカード発行システムを構成する端末装置。
【請求項３】
請求項１に記載したマルチペイメントカード発行システムを構成する端末装置のカード管理手段として，コンピュータを機能させるためのコンピュータプログラム。
【発明の詳細な説明】
【技術分野】
【０００１】
本発明は，複数の支払い方法に対応できるカード型のデバイスであるマルチペイメントカードにペイメントカードを登録するための技術に関する。
【背景技術】
【０００２】
複数の支払い方法に対応できるカード型のデバイスで，以前より知られているマルチアプリケーション型ＩＣカードとは異なるマルチペイメントカードが，特許文献１，２などで開示されている。
【０００３】
マルチアプリケーション型ＩＣカードの場合，複数の支払い方法に対応できるように，複数のアプリケーションをマルチアプリケーション型ＩＣカードにロードするが，マルチペイメントカードの場合，複数の支払い方法に対応できるように，ペイメントカードの磁気ストライプから読み取った磁気エンコードデータをマルチペイメントカードに記憶させる。
【０００４】
図７は，マルチペイメントカードを発行する従来の手法を説明する図である。なお，マルチペイメントカードを発行するとは，ペイメントカードの磁気ストライプにエンコードされている磁気エンコードデータをマルチペイメントカードに登録することを意味している。
【０００５】
マルチペイメントカードを発行する従来の手法では，マルチペイメントカードと，磁気ストライプを有するペイメントカードと，ペイメントカードの磁気ストライプから磁気エンコードデータを読み取るスワイプ式の専用リーダライタと，スマートフォンが必要となる。スマートフォンと専用リーダライタは，スマートフォンのＵＳＢ端子またはスマートフォンのオーディオジャックを介してスマートフォンと接続する。
【０００６】
ペイメントカードをマルチペイメントカードに登録させるには，マルチペイメントカードのメーカによって開発されたアプリケーションが必要で，ユーザは，マルチペイメントカードを利用開始する際，ネットワーク上のアプリケーションストアからスマートフォンにこのアプリケーションをダウンロードする。ユーザが，スマートフォンにダウンロードしたアプリケーションを起動させ，ペイメントカードの登録に係るメニュー項目を選択した後，専用リーダライタをスマートフォンに接続させた状態で，ペイメントカードの磁気ストライプを専用リーダライタにスワイプさせると，ペイメントカードの磁気ストライプにエンコードさせている磁気エンコードデータが専用リーダライタで読み取られる。専用リーダライタは，ペイメントカードから読み取った磁気エンコードデータをスマートフォンに送信し，スマートフォンは，ペイメントカードを登録するコントロールコードと，専用リーダライタから受信した磁気エンコードデータをマルチペイメントカードに送信して，ペイメントカードの磁気エンコードデータをペイメントカードに登録する。
【先行技術文献】
【特許文献】
【０００７】
【特許文献１】Pub.No.: US 2015/0192647号公報
【特許文献２】Patent No.: US 8,998,096号公報
【発明の概要】
【発明が解決しようとする課題】
【０００８】
しかし，マルチペイメントカードを発行する従来の手法では，専用リーダライタと，ペイメントカードのスワイプ作業が必要になってしまう。マルチペイメントカードの発行に専用リーダライタが必要になると，専用リーダライタの配布に要する経費が問題になる。また，マルチペイメントカードの発行に，ペイメントカードのスワイプ作業が必要になると，ペイメントカードのスワイプ作業が手間になってしまう。
【０００９】
そこで，本発明は，専用リーダライタを必要とせずに，マルチペイメントカードの発行が行えることを課題とする。
【課題を解決するための手段】
【００１０】
上述した課題を解決する第１の発明は，マルチペイメントカードと端末装置とから少なくとも構成されるマルチペイメントカード発行システムである。第１の発明に係る前記端末装置は，前記マルチペイメントカードとの通信に用いる端末用通信ユニットと，磁気ストライプを備えたペイメントカードの撮影に用いられるカメラユニットと，前記ペイメントカードを登録する操作がなされると，前記カメラユニットを作動させ，前記カメラユニットが撮影した前記ペイメントカードの券面画像を取得する処理と，前記ペイメントカードの券面画像を画像解析して，前記ペイメントカードの券面に印刷加工されているカードデータを特定する処理と，前記カードデータを利用して，前記ペイメントカードの磁気ストライプにエンコードされている磁気エンコードデータを生成する処理と，前記端末用通信ユニットを利用して，前記磁気エンコードデータを前記マルチペイメントカードに送信する処理を行うカード管理手段を備える。また，第１の発明に係る前記マルチペイメントカードは，前記端末装置との通信に用いるカード用通信ユニットと，前記端末装置から受信した前記磁気エンコードデータを記憶させるメモリユニットと，前記カード用通信ユニットが前記端末装置から受信した前記磁気エンコードデータを前記メモリユニットに記憶させる手段を備える。更に，上述した課題を解決する第２の発明は，第１の発明に記載したマルチペイメントカード発行システムを構成する端末装置である。更に，上述した課題を解決する第３の発明は，第１の発明に記載したマルチペイメントカード発行システムを構成する端末装置のカード管理手段として，コンピュータを機能させるためのコンピュータプログラムである。
【発明の効果】
【００１１】
上述した本発明は，ペイメントカードの券面に印刷加工されているカードデータを利用して，マルチペイメントカードの発行が行えるように構成されるため，専用リーダライタを必要とせずに，マルチペイメントカードの発行が行える。
【図面の簡単な説明】
【００１２】
【図１】マルチペイメントカード発行システムの構成を説明する図。
【図２】ペイメントカードを説明する図。
【図３】マルチペイメントカードを説明する図。
【図４】端末装置のブロック図。
【図５】端末装置のカード管理手段の動作を説明する図。
【図６】ペイメントカードの券面画像からカードデータを取得する処理を説明する図。
【図７】マルチペイメントカードを発行する従来の手法を説明する図。
【発明を実施するための形態】
【００１３】
ここから，本発明の好適な実施形態を記載する。なお，以下の記載は本発明の範囲を束縛するものでなく，理解を助けるために記述するものである。
【００１４】
図１は，本実施形態に係るマルチペイメントカード発行システム１の構成を説明する図である。本実施形態に係るマルチペイメントカード発行システム１は，磁気カードリーダを利用することなく，マルチペイメントカード１１にペイメントカード１２の磁気エンコードデータを登録できるように発案されたシステムである。図１で図示したマルチペイメントカード発行システム１は，ペイメントカード１２の磁気ストライプ１２５にエンコードされた磁気エンコードデータが登録されるマルチペイメントカード１１と，カメラユニット１０２を備えた端末装置１０から少なくとも構成される。
【００１５】
まず，本実施形態に係るペイメントカード１２について説明する。図２は，本実施形態に係るペイメントカード１２を説明する図で，図２（ａ）は，ペイメントカード１２の表券面を説明する図，図２（ｂ）は，ペイメントカード１２の裏券面を説明する図である。なお，図２では，ペイメントカード１２をクレジットカードとして図示しているが，ペイメントカード１２はデビットカードであってもよい。
【００１６】
本実施形態に係るペイメントカード１２は，磁気ストライプ１２５にエンコードされた磁気エンコードデータに含まれるカードデータの少なくとも一部が券面に印刷加工されたカードである。図２（ａ）で図示したように，ペイメントカード１２の表面には，カードデータに係る文字・絵柄として，ペイメントカード１２のブランドを表すブランドマークと，アカウント番号（ここでは，「1234 5678 9012 3456」）を表した文字列１２１と，有効期限（ここでは，「00/00」）を表した文字列１２２と，ペイメントカード１２を所持するユーザの氏名（ここでは，「Taro  Nippon」）を表した文字列１２３が印刷加工されている。また，図２（ｂ）で図示したように，ペイメントカード１２の裏面には，カードデータに係る絵柄として，ＣＣＶ（Card Verification Value）やＣＶＣ（Card Validation Code）などのセキュリティコード（ここでは，「012」）を表した文字列１２４がペイメントカード１２の署名領域１２６に印刷加工されている。
【００１７】
次に，マルチペイメントカード１１について説明する。マルチペイメントカード１１は，複数の支払い方法に対応できるカード型のデバイスで，本実施形態に係るペイメントカード１２は特許文献１に基づくものである。
【００１８】
図３は，本実施形態に係るマルチペイメントカード１１を説明する図である。図３において，図３（ａ）は，マルチペイメントカード１１の表面を示した図，図３（ｂ）は，マルチペイメントカード１１の裏面を示した図，図３（ｃ）はマルチペイメントカード１１のブロック図である。
【００１９】
図３（ａ）で図示したように，マルチペイメントカード１１の表面には，ボタンデバイス１１３とディスプレイ１１４が設けられている。マルチペイメントカード１１の表面に設けられたボタンデバイス１１３は，マルチペイメントカード１１の操作に用いられるデバイスで，マルチペイメントカード１１に磁気エンコードデータが登録されているペイメントカード１２の中から，支払いに用いるペイメントカード１２の選択などに利用される。マルチペイメントカード１１の表面に設けられたディスプレイ１１４は，電子ペーパーや液晶ディスプレイなどで，有効になっているペイメントカード１２の表示などに利用される。
【００２０】
図３（ｂ）で図示したように，マルチペイメントカード１１の裏面には，ストライプ領域１１７と署名領域１１８が設けられている。マルチペイメントカード１１の裏面に設けられたストライプ領域１１７は，店舗などに設置された磁気カードリーダの磁気ヘッドと接する領域である。マルチペイメントカード１１の裏面に設けられた署名領域１１８は，一般的なクレジットカードの裏面に設けられている領域と同様に，ユーザが自筆で署名を記入する領域である。
【００２１】
図３（ｃ）で図示したように，マルチペイメントカード１１は，すでに説明しているディスプレイ１１４およびボタンデバイス１１３に加え，ＩＣ１１０，メモリユニット１１２，ダイナミック磁気エミュレータ１１５およびカード用通信ユニット１１１を備え，更に，図３（ｃ）では，マルチペイメントカード１１に電力を供給する電池１１６を図示している。
【００２２】
マルチペイメントカード１１のダイナミック磁気エミュレータ１１５は，マルチペイメントカード１１のストライプ領域１１７に対応する場所に配置され，磁気エンコードデータをエミュレートできるように構成された回路である。カード用通信ユニット１１１は，外部装置（ここでは，端末装置１０）と無線通信するための通信回路である。カード用通信ユニット１１１は，Ｂｌｕｅｔｏｏｔｈ（登録商標）用の無線通信回路であることが好適な形態であるが，ＷｉｆｉやＵＳＢなど他の通信回路であってもよい。
【００２３】
マルチペイメントカード１１のメモリユニット１１２は，電気的に書き換え可能な不揮発性メモリを利用して構成され，マルチペイメントカード１１のＩＣ１１０を動作させるコンピュータプログラムに加え，ペイメントカード１２の磁気エンコードデータを登録するテーブルを記憶する。
【００２４】
マルチペイメントカード１１のＩＣ１１０は，マルチペイメントカード１１を制御するデバイスで，メモリユニット１１２に格納されたコンピュータプログラムが起動することで、カード用通信ユニット１１１が，ペイメントカード１２をマルチペイメントカード１１に登録するコマンドコードと磁気エンコードデータを端末装置１０から受信すると，端末装置１０から受信した磁気エンコードデータをメモリユニット１１２に記憶する処理を行う手段が備えられる。なお，マルチペイメントカード１１が支払いに利用されるときは別のコンピュータプログラムが起動し、マルチペイメントカード１１のＩＣ１１０は，ボタンデバイス１１３を用いて，支払いに用いるペイメントカード１２が決定されると，ボタンデバイス１１３を用いて決定されたペイメントカード１２の磁気エンコードデータを，ダイナミック磁気エミュレータ１１５にエミュレートさせる処理を行う。
【００２５】
次に，端末装置１０について説明する。図１では，本実施形態に係る端末装置１０をスマートフォンとして図示しているが，カメラ機能を有するタブレットコンピュータや，カメラ機能を有するパーソナルコンピュータなども端末装置１０として利用できる。
【００２６】
図４は，本実施形態に係る端末装置１０のブロック図である。図４で図示したように，本実施形態に係る端末装置１０は，プロセッサ１０１，カメラユニット１０２，メモリユニット１０４に加え，タッチパネル１０６，端末用通信ユニット１０３を備える。
【００２７】
端末装置１０のカメラユニット１０２は，レンズ，撮像素子（例えば，ＣＯＭＳ），撮像素子の出力を処理する回路などから構成される。端末装置１０のメモリユニット１０４は，ＲＡＭ（Random Access Memory）や電気的に書き換え可能な不揮発性メモリなどを含み，マルチペイメントカード１１のメーカによって開発されたアプリケーション１０５を記憶している。端末装置１０のタッチパネル１０６は，表示デバイスとタッチデバイスが組み合わされ，指で操作できるように構成されたデバイスである。端末装置１０の端末用通信ユニット１０３は，ペイメントカード１２のカード用通信ユニット１１１に対応した通信回路である。
【００２８】
端末装置１０のプロセッサ１０１は，端末装置１０を制御する機能を有するデバイスで，メモリユニット１０４に記憶されたアプリケーション１０５が起動することで，マルチペイメントカード１１の管理機能を有するカード管理手段１００が端末装置１０に備えられる。
【００２９】
図５は，端末装置１０のカード管理手段１００の動作を説明する図である。端末装置１０のカード管理手段１００は，メニュー画面の中から，ペイメントカード１２の登録に係るメニュー項目がタップされると，カメラユニット１０２を作動させるアイコンを含む画面をタッチパネル１０６に表示させる（Ｓ１）。
【００３０】
ユーザが，カメラユニット１０２を作動させるアイコンをタップすると，端末装置１０のカード管理手段１００は，カメラユニット１０２を作動させ（Ｓ２），ユーザがペイメントカード１２を撮影すると，カメラユニット１０２が撮影したペイメントカード１２の券面画像をカメラユニット１０２から取得する（Ｓ３）。
【００３１】
次に，端末装置１０のカード管理手段１００は，カメラユニット１０２から取得したペイメントカード１２の券面画像を画像解析（例えば，文字認識）し，ペイメントカード１２の券面に印刷加工されているカードデータを特定する（Ｓ４）。
【００３２】
なお，図２で図示したペイメントカード１２のように，カードデータに係る絵柄が表券面と裏券面それぞれに印刷加工されている場合，端末装置１０のカード管理手段１００は，ペイメントカード１２の表券面をユーザに撮影させて，ペイメントカード１２の表券面画像に印刷加工されているカードデータを取得した後，ペイメントカード１２の裏券面をユーザに撮影させて，ペイメントカード１２の裏券面画像に印刷されているカードデータを取得する。
【００３３】
次に，端末装置１０のカード管理手段１００は，ペイメントカード１２の券面画像から取得したカードデータを利用してペイメントカード１２の磁気エンコードデータを生成する（Ｓ５）。磁気エンコードデータの仕様はＪＩＳ規格（例えば，ＪＩＳ−１型，ＪＩＳ−２型）などで定められており，本実施形態に係る端末装置１０のカード管理手段１００は，磁気エンコードデータのテンプレートにカードデータを埋め込むことで磁気エンコードデータを生成する。
【００３４】
次に，端末装置１０のカード管理手段１００は，ペイメントカード１２をマルチペイメントカード１１に登録するコマンドコードと，ペイメントカード１２の券面画像から得られたカードデータを用いて生成した磁気エンコードデータをマルチペイメントカード１１に送信し，ペイメントカード１２の磁気エンコードデータをマルチペイメントカード１１に登録して（Ｓ６），この手順は終了する。
【００３５】
図２で図示したペイメントカード１２を参照して，ペイメントカード１２の券面画像からカードデータを取得する処理について説明する。図６は，ペイメントカード１２の券面画像からカードデータを取得する処理を説明する図である。
【００３６】
図６（ａ）は，ペイメントカード１２の表券面画像１３である。ペイメントカード１２の表券面画像１３からカードデータを取得する際，端末装置１０のカード管理手段１００は，まず，画像マッチング技術などを利用して，ペイメントカード１２の表券面画像１３に含まれるブランドマークの画像１３０を特定し，ブランドマークの画像１３０からペイメントカード１２のブランドを特定する。
【００３７】
図６（ｂ）は，カードデータのレイアウト１４である。カードデータに係る文字・絵柄をペイメントカード１２の券面に配置するレイアウト１４は，ペイメントカード１２のブランドによって定めるため，端末装置１０のカード管理手段１００は，ペイメントカード１２の表券面画像１３からカードデータを取得するときに用いるレイアウト１４として，特定したペイメントカード１２のブランドに対応したレイアウト１４を所定のＤＢから取得する。なお，ペイメントカード１２のブランドに対応したレイアウト１４を記憶するＤＢは，端末装置１０が備えていてもよいが，ネットワーク上のサーバに備えさせることもできる。また，ペイメントカード１２のブランドに対応したレイアウト１４に加え，ペイメントカード１２のブランドに対応した磁気エンコードデータのテンプレートをＤＢから取得するように構成することもできる。
【００３８】
ペイメントカード１２のブランドに対応したレイアウト１４には，カードデータに係る文字・絵柄を配置するレイアウト枠１４０が設定されている。図６（ｂ）で図示したレイアウト１４は表券面用で，図６（ｂ）で図示したレイアウト１４には，アカウント番号を表した文字列用のレイアウト枠１４０ａと，有効期限を表した文字列用のレイアウト枠１４０ｂと，ペイメントカード１２を所持するユーザの氏名を表した文字列用のレイアウト枠１４０ｃが配置されている。
【００３９】
図６（ｃ）は，図２（ａ）で図示したペイメントカード１２の表券面画像に，図６（ｂ）で図示したレイアウト１４を重ね合わせた図である。端末装置１０のカード管理手段１００は，ペイメントカード１２のブランドに対応したレイアウト１４に含まれるレイアウト枠１４０毎に，レイアウト枠１４０内の画像をペイメントカード１２の表券面画像１３から抽出し，レイアウト枠１４０内の画像を文字認識することで，レイアウト枠１４０に対応するカードデータを取得する。図６（ｃ）では，レイアウト枠内の画像１３１ａを文字認識することでアカウント番号が得られ，レイアウト枠内の画像１３１ｂを文字認識することで有効期限が得られ，レイアウト枠内の画像１３１ｃを文字認識することで氏名が得られる。また，同様の手順で，ペイメントカード１２の裏券面画像からセキュリティコードが得られる。
【００４０】
なお，ペイメントカード１２の券面に印刷加工されないカードデータがある場合，このカードデータをユーザが入力できるように端末装置１０のカード管理手段１００を構成するとよい。例えば，クレジットカードの場合，ペイメントカード１２を発行した発行者のカントリーコードが磁気ストライプ１２５にエンコードされることがあるが，ペイメントカード１２の券面に印字されないため，カントリーコードはペイメントカード１２の券面画像から得られないカードデータになる。この場合，国名（例えば，日本）をユーザに選択させ，ユーザが選択した国名に対応するカントリーコードを取得するように端末装置１０のカード管理手段１００を構成するとよい。
【符号の説明】
【００４１】
１    マルチペイメントカード発行システム
１０  端末装置
１００  カード管理手段
１０２  カメラユニット
１０３  端末用通信ユニット
１０４  メモリユニット
１１  マルチペイメントカード
１１０  ＩＣ
１１１  カード用通信ユニット
１１２  メモリユニット
１２  ペイメントカード
１２５  磁気ストライプ
【図１】
0006705290.tif 000002
【図２】
0006705290.tif 000003
【図３】
0006705290.tif 000004
【図４】
0006705290.tif 000005
【図５】
0006705290.tif 000006
【図６】
0006705290.tif 000007
【図７】
0006705290.tif 000008